(57)【要約】【課題】  防水カバーの収納個所に鞄の荷重がかかることなく、その防水カバーが収納し易く、取り出し易く、また防水カバーを鞄本体に被せるのも非常に簡単で、鞄の使用者が幼児や学童である場合にもその防水カバーを鞄本体に上手く被せることができる背負い鞄を提供する。【解決手段】  鞄本体１の上部１ｂにカバー収納部３を設け、このカバー収納部３内に防水カバー４を収納したものとしている。前記カバー収納部３を、鞄本体１の上部１ｂから鞄本体１内に入り込むようにして設け、鞄本体１の上部１ｂに設けられたスライドファスナーＳｆのスライダーＳｄの操作により開閉自在としている。【選択図】        図３
0003110821.tif 000002
【実用新案登録請求の範囲】
【請求項１】
鞄本体（１）の上部（１ｂ）にカバー収納部（３）を設け、このカバー収納部（３）内に防水カバー（４）を収納したことを特徴とする背負い鞄。
【請求項２】
前記カバー収納部（３）を、鞄本体（１）の上部（１ｂ）から鞄本体（１）内に入り込むようにして設け、鞄本体（１）の上部（１ｂ）に設けられたスライドファスナー（Ｓｆ）のスライダー（Ｓｄ）の操作により開閉自在としたことを特徴とする請求項１記載の背負い鞄。
【請求項３】
前記防水カバー（４）を、接続ベルト（６）を介してカバー収納部（３）の内部に連結した状態で、このカバー収納部（３）の内部に収納したことを特徴とする請求項１記載の背負い鞄。
【請求項４】
前記接続ベルト（６）を、連結具（７）によって連結したものとし、この接続ベルト（６）の一端をカバー収納部（３）の内部に取り付け、接続ベルト（６）の他端を防水カバー（４）の周縁に取り付けたことを特徴とする請求項３記載の背負い鞄。
【考案の詳細な説明】
【技術分野】
【０００１】
この考案は、リュックサックやデイパックなどの背負い鞄に関するものである。
【背景技術】
【０００２】
従来、この種の背負い鞄は、一般に登山やハイキング等のレジャー用として、また通学、通勤等にも使用されている。そのため、登山やハイキング時、または通学、通勤中に雨が降れば、鞄が濡れることもある。
【０００３】
そこで、雨が降ると、鞄のほぼ全体を覆う防水性のカバーによって、その鞄を覆うことが行われているが、従来のカバーは鞄と別体であるので、これを携行することを忘れたり、携行してもカバーを収納する場所に困ったりすることがあった。そのため、従来から、図６に示したようなリュックサックが案出されている。このリュックサックは、リュックサック本体２１の底面２１ａ部位に、背板２２の下辺に沿う開口部２３を有したポケット２４を設け、このポケット２４内にはリュックサック本体２１をその背板２２を残して被包する図７に示したような防水カバー２５を収納し、この防水カバー２５の端部の一部をポケット２４内の開口部２３の内側に縫着してなるものとしている（特許文献１）。
【０００４】
このように構成したリュックサックによれば、常に防水カバー２５がリュックサック本体２１に一体的に取り付けられ、必要時に必ず使用でき、防水カバー２５は各リュックサック専用であるので無意味に大きくする必要性が無く、安価に、コンパクトに実施できるという効果を有するものとしている。
【０００５】
さらに、従来から、図８に示したような鞄も案出されている。この鞄は、鞄本体３１を覆うカバー３２が備えられており、このカバー３２が鞄本体３１に一体的に連結されている。この鞄本体３１には、カバー３２を収納可能なカバー収納部３３が設けられている。そして、このカバー収納部３３は、鞄本体３１の底部３１ａに設けられており、そのカバー収納部３３には背面３４側に開口３５が形成され、前記カバー３２がカバー収納部３３の内部に連結されたものとしている（特許文献２）。
【０００６】
このように構成した鞄によれば、カバー３２が鞄本体３１に一体的に連結されているので、カバー３２を携行することを忘れ難く、カバー収納部３３が鞄本体３１に設けられているので、カバー３２を収納する場所に困らず、さらにカバー３２が鞄本体３１の底部３１ａに設けられたカバー収納部３３に連結されているので、片手で容易にカバー３２を被せることができるという効果を有するものとしている。
【特許文献１】登録実用新案第３０６２３２３号公報（第２、９頁、図１、２）
【特許文献２】特開２００２−１１９３１９号公報（第２、３頁、図１）
【考案の開示】
【考案が解決しようとする課題】
【０００７】
しかしながら、上記従来の図６に示したリュックサックでは、防水カバー２５を収納するポケット２４がリュックサック本体２１に底面２１ａ部位に設けられているため、また上記従来の図８に示した鞄でも、カバー３２を収納するカバー収納部３３が鞄本体３１の底部３１ａに設けられているため、背負うなどしてリュックサックや鞄を宙に浮かしている時には、そのリュックサックや鞄の荷重がその底面２１ａ部位や底部３１ａにかからないが、リュックサックや鞄をテーブルや机の上などに置いた場合には、リュックサックや鞄の荷重がその底面２１ａ部位や底部３１ａにかかり、そのリュックサックや鞄の荷重により、ポケット２４やカバー収納部３３に防水カバー２５やカバー３２を収納し難かったり、またポケット２４やカバー収納部３３から防水カバー２５やカバー３２が取り出し難いという問題点を有していた。
【０００８】
さらに、上記従来のリュックサックや鞄では、防水カバー２５やカバー３２をリュックサック本体２１や鞄本体３１に被せるとき、その防水カバー２５やカバー３２を、リュックサック本体２１の底面２１ａ部位の背板２２側や、鞄本体３１の底部３１ａの背面３４側から取り出して、リュックサック本体２１や鞄本体３１の前面側に手繰り寄せてからでないと、そのリュックサック本体２１や鞄本体３１の前面側に被せることができないため、リュックサックや鞄の使用者が幼児や学童である場合には、特にその操作がし難く、防水カバー２５やカバー３２をリュックサック本体２１や鞄本体３１の前面側に上手く被せることができないことがあるという課題を有していた。
【０００９】
そこで、この考案は、上記従来の課題を解決するものであり、防水カバーの収納個所に鞄の荷重がかかることなく、その防水カバーが収納し易く、取り出し易く、また防水カバーを鞄本体に被せるのも非常に簡単で、鞄の使用者が幼児や学童である場合にもその防水カバーを鞄本体に上手く被せることができる背負い鞄を提供することを目的としてなされたものである。
【課題を解決するための手段】
【００１０】
そのため、この考案の背負い鞄は、鞄本体１の上部１ｂにカバー収納部３を設け、このカバー収納部３内に防水カバー４を収納したものとしている。
【００１１】
そして、この考案の背負い鞄では、前記カバー収納部３を、鞄本体１の上部１ｂから鞄本体１内に入り込むようにして設けたものとし、鞄本体１の上部１ｂに設けられたスライドファスナーＳｆのスライダーＳｄの操作により開閉自在としている。
【００１２】
さらに、この考案の背負い鞄では、前記防水カバー４を、接続ベルト６を介してカバー収納部３の内部に連結した状態で、このカバー収納部３の内部に収納したものとしている。
【００１３】
また、この考案の背負い鞄では、前記接続ベルト６を、連結具７によって連結したものとし、この接続ベルト６の一端をカバー収納部３の内部に取り付け、接続ベルト６の他端を防水カバー４の周縁に取り付けたものとしている。
【考案の効果】
【００１４】
この考案の背負い鞄は、以上に述べたように構成されているので、防水カバーの収納個所に鞄の荷重がかかることなく、その防水カバーが収納し易く、取り出しやすく、また防水カバーを鞄本体に被せるのも非常に簡単で、鞄の使用者が幼児や学童である場合にもその防水カバーを鞄本体に上手く被せることができるものとなった。
【考案を実施するための最良の形態】
【００１５】
以下、この考案の背負い鞄の実施の形態を、図面に基づいて詳細に説明する。
【００１６】
この考案の背負い鞄は、図１〜３に示したように、鞄本体１の前部１ａにポケット２を設けたものとしている。これら鞄本体１およびポケット２は、それらの上部１ｂ、２ｂから両側部１ｃ、２ｃにかけてそれぞれスライドファスナーＳｆが設けられており、それぞれスライダーＳｄの操作により、鞄本体１の収納部およびポケット２の収納部を開閉自在としている。
【００１７】
そして、前記鞄本体１の上部１ｂには、カバー収納部３が設けられており、このカバー収納部３内に防水カバー４が収納されている。前記カバー収納部３は、図示したものは、鞄本体１の上部１ｂから鞄本体１内に入り込むようにして設けたものとしており、鞄本体１の上部１ｂに設けられたスライドファスナーＳｆのスライダーＳｄの操作により開閉自在としている。さらに、前記カバー収納部３は、図示していないが、鞄本体１の上部１ｂから鞄本体１の外側に設けたものとしてもよく、このカバー収納部３の前部または上部に設けられたスライドファスナーＳｆのスライダーＳｄの操作により開閉自在としたものとしてもよい。前記防水カバー４は、鞄本体１の少なくと前部１ａ、上部１ｂ、両側部１ｃ、底部１ｄをキャップ状に被うことができるようにしており、また防水カバー４の周縁にゴム紐などの伸縮体５を取り付けて、この防水カバー４の周縁を伸縮自在とすることにより、鞄本体１を被ったときに外れないようにしている。さらに、前記防水カバー４は、接続ベルト６を介してカバー収納部３の内部に連結された状態で、このカバー収納部３の内部に収納されている。前記接続ベルト６は、図示したようなバックルや、図示していないがボタン・ホックなどの連結具７によって連結されており、この接続ベルト６の一端をカバー収納部３の内部に縫着して取り付け、接続ベルト６の他端を防水カバー４の周縁に縫着して取り付けている。したがって、前記防水カバー４が雨で濡れたり、汚れたりした場合には、カバー収納部３から取り出し、連結具７による連結を外せば、鞄本体１とは切り離すことができるので、この防水カバー４を干して乾かしたり、洗濯して汚れを落とすことができる。また、前記防水カバー４の表部には、反射テープや蓄光テープなどの夜光テープ８を貼り付け、夜間時などの安全性に考慮したものとしている。
【００１８】
前記鞄本体１の背部１ｅ寄りには、襠幅伸縮用のスライドファスナーＳｆが取り付けられている。この襠幅伸縮用のスライドファスナーＳｆは、図２に示したように、鞄本体１の上部１ｂ、両側部１ｃ、底部１ｄにかけて、スライドファスナーＳｆの咬合体Ｓａ、Ｓａを一定間隔をおいて配し、それぞれの咬合体Ｓａ、Ｓａの最終部を略Ｖ字状に纏めたものとし、この最終部からスライダーＳｄによって開閉自在としている。したがって、前記スライドファスナーＳｆを閉じれば、図１に示したように、鞄本体１を縮ませた状態にすることができ、前記スライドファスナーＳｆを開けば、図２に示したように、鞄本体１を伸ばした状態にすることができる。また、前記鞄本体１の背部１ｅには、一対の背負いベルト９を取り付けたものとしている。さらに、前記鞄本体１の背部１ｅの上端には、必要に応じて、提げ手１０を取り付けたものとしている。なお、この提げ手１０は、鞄本体１の上部１ｂに設けたものとしてもよい。
【００１９】
前記ポケット２の前部２ａには、サブポケット１１が設けられており、このサブポケット１１の前部１１ａにもスライドファスナーＳｆが二段に取り付けられており、それぞれスライダーＳｄの操作により開閉自在としている。また、サブポケット１１の前部１１ａには、反射テープや蓄光テープなどの夜光テープ１２を貼り付け、夜間時などの安全性に考慮したものとしている。
【００２０】
以上のように構成したこの考案の背負い鞄は、雨が降っていないときには、図１、２に示したように、カバー収納部３に防水カバー４を収納したまま、従来の背負い鞄と同様にして使用する。
【００２１】
その際、この考案の背負い鞄では、鞄本体１の上部に防水カバー４を収納するカバー収納部３が設けられているため、背負い鞄をテーブルや机の上においた場合にも、カバー収納部３に鞄本体１の荷重がかかることないので、このカバー収納部３のスライドファスナーＳｆをスライダーＳｄによってスムーズに開くことができ、そのカバー収納部３に防水カバー４を容易に収納することができる。
【００２２】
そして、この考案の背負い鞄は、雨が降っているときには、カバー収納部３から防水カバー４を取り出して、この防水カバー４を鞄本体１に被せる。
【００２３】
その際、この考案の背負い鞄では、鞄本体１の上部に防水カバー４を収納するカバー収納部３が設けられているため、このカバー収納部３のスライドファスナーＳｆをスライダーＳｄによって開き、カバー収納部３から防水カバー４を引き出して広げながら、図４に示したように、鞄本体１の前面１ａから上部１ｂ、両側部１ｃ、底部１ｄにかかるように被せる。そして、この防水カバー４を鞄本体１の背部１ｅ側にずらして行けば、図５に示したように、防水カバー４を背部１ｅに少しかかった状態にして被せることができる。したがって、この考案の背負い鞄は、防水カバー４を非常に簡単に、しかも上手く鞄本体１に被せることができる。
【００２４】
さらに、この考案の背負い鞄では、カバー収納部３から防水カバー４を取り出すとき、背負い鞄をテーブルや机の上などに置いた場合にも、カバー収納部３に鞄本体１の荷重がかかることなく、カバー収納部３から防水カバー４を容易に取り出すことができるものとなる。
【図面の簡単な説明】
【００２５】
【図１】この考案の背負い鞄の一実施形態を示す斜視図である。
【図２】図１に示すこの考案の背負い鞄の鞄本体を伸ばした状態の斜視図である。
【図３】この考案の背負い鞄のカバー収納部から防水カバーを取り出した状態を示す斜視図である。
【図４】この考案の背負い鞄のカバー収納部から防水カバーを取り出して、この防水カバーを鞄本体に被せる途中の状態を示す斜視図である。
【図５】この考案の背負い鞄の防水カバーを鞄本体に被せ終わった状態を示す斜視図である。
【図６】従来の背負い鞄の一例を示す背面図である。
【図７】図６に示す従来の背負い鞄に使用される防水カバーの斜視図である。
【図８】従来の背負い鞄の他の例を示す斜視図である。
【符号の説明】
【００２６】
１  鞄本体
１ｂ  上部
３  カバー収納部
４  防水カバー
６  接続ベルト
７  連結具
Ｓｆ  スライドファスナー
Ｓｄ  スライダー
【図１】
0003110821.tif 000003
【図２】
0003110821.tif 000004
【図３】
0003110821.tif 000005
【図４】
0003110821.tif 000006
【図５】
0003110821.tif 000007
【図６】
0003110821.tif 000008
【図７】
0003110821.tif 000009
【図８】
0003110821.tif 000010